(57)【要約】【課題】  表示された画像の視認性を向上させることが可能な表示装置及び表示方法を提供する。【解決手段】  画像を表示するタッチパネル１０７と、装置の移動を検知する加速度センサ３０３と、検知された装置の移動に基づいてタッチパネル１０７に表示する画像の移動量を算出するＣＰＵ３０１とを備え、タッチパネル１０７は、ＣＰＵ３０１から算出された移動量に基づいて画像の表示位置を移動させる。【選択図】図３
2015141700.tif 000002
【特許請求の範囲】
【請求項１】
画像を表示する表示部と、
装置の移動を検知する検知部と、
前記検知された装置の移動に基づいて前記表示部に表示する画像の移動量を算出する算出部とを備え、
前記算出部から算出された移動量に基づいて画像の表示位置を移動させて前記表示部に前記画像を表示する表示制御部と、を備える表示装置。
【請求項２】
前記検知部は、
前記表示装置の加速度を検出する加速度センサである、請求項１記載の表示装置。
【請求項３】
前記検知部は、画像を撮像する撮像部である、請求項１記載の表示装置。
【請求項４】
前記撮像部は、ユーザの目の画像を撮像する、請求項３記載の表示装置。
【請求項５】
前記算出部は、前記表示装置の移動の周期を検知し、
前記表示制御部は、前記算出部から算出された移動量に基づいて、前記移動の周期の自然数倍遅延させて前記画像の表示位置を移動させて表示する、請求項１記載の表示装置。
【請求項６】
前記表示制御部は、
前記移動量により示される表示位置が前記表示部の表示範囲を超える場合は、
前記画像を表示しないこととすると共に、前記画像が表示されていないことを示すマークを表示する、請求項１記載の表示装置。
【請求項７】
前記表示制御部は、
前記移動量により示される表示位置が前記表示部の表示範囲を超える場合は、
前記画像を前記表示部の端に表示する、請求項１記載の表示装置。
【請求項８】
前記表示制御部は、
前記画像を縮小させる、請求項１記載の表示装置。
【請求項９】
前記表示制御部は、
前記画像の最大移動量に基づいて前記画像の縮小率を決定する、請求項９記載の表示装置。
【請求項１０】
前記表示制御部は、
前記画像の移動量として所定の最大移動量を設定する、請求項１記載の表示装置。
【請求項１１】
前記算出部は、前記検知された装置の移動と同じ量を前記画像の移動量として算出し、
前記表示制御部は、前記画像を、前記移動量分、前記表示装置の移動前の位置から移動させることにより、前記表示装置の移動に対して、前記画像が空間的に移動しないように表示させる、請求項１記載の表示装置。
【請求項１２】
画像を表示部に表示する表示工程と、
装置の移動を検知する検知工程と、
前記検知された装置の移動に基づいて前記表示部に表示する画像の移動量を算出する算出工程と、
前記算出工程で算出された移動量に基づいて画像の表示位置を移動させる移動工程と、を備える表示方法。
【発明の詳細な説明】
【技術分野】
【０００１】
本発明は、表示装置及び表示方法に関する。
【背景技術】
【０００２】
従来、画像を撮像して記録する装置において手振れを補正して記録する技術が知られている。
【０００３】
たとえば、特許文献１には、画像記録装置の手ぶれによる動きを加速度センサなどにより検知し、画像に対して手ぶれ補正を行って記録する技術が開示されている。
【０００４】
また、特許文献２には、画像内の特徴点の位置の変位量を手ぶれ補正用の補正量として用いることにより、手ぶれ補正を行って動画を記録する技術が開示されている。
【先行技術文献】
【特許文献】
【０００５】
【特許文献１】特開２００７−１１６６３３号公報
【特許文献２】特開２０１２−４９８７１号公報
【発明の概要】
【発明が解決しようとする課題】
【０００６】
上記従来の技術では、単に記録する画像に対して手ぶれ補正を行うのみであり、装置が移動した場合に、表示された画像の視認性を向上させることができなかった。
【０００７】
本発明は、上記事情に鑑みなされたもので、表示された画像の視認性を向上させることが可能な表示装置及び表示方法を提供することを目的とする。
【課題を解決するための手段】
【０００８】
上記課題を解決するため、本発明に係る表示装置の第１の態様は、画像を表示する表示部と、装置の移動を検知する検知部と、前記検知された装置の移動に基づいて前記表示部に表示する画像の移動量を算出する算出部とを備え、前記算出部から算出された移動量に基づいて画像の表示位置を移動させて前記表示部に前記画像を表示する表示制御部と、を備える。
【０００９】
また、本発明に係る表示装置の第２の態様は、上記第１の態様において、前記検知部は、前記表示装置の加速度を検出する加速度センサである、表示装置。
【００１０】
また、本発明に係る表示装置の第３の態様は、上記第１の態様において、前記検知部は、画像を撮像する撮像部である。
【００１１】
また、本発明に係る表示装置の第４の態様は、上記第３の態様において、前記撮像部は、ユーザの目の画像を撮像する。
【００１２】
また、本発明に係る表示装置の第５の態様は、上記第１の態様において、前記算出部は、前記表示装置の移動の周期を検知し、前記表示制御部は、前記算出部から算出された移動量に基づいて、前記移動の周期の自然数倍遅延させて前記画像の表示位置を移動させて表示する。
【００１３】
また、本発明に係る表示装置の第６の態様は、上記第１の態様において、前記表示制御部は、前記移動量により示される表示位置が前記表示部の表示範囲を超える場合は、前記画像を表示しないこととすると共に、前記画像が表示されていないことを示すマークを表示する。
【００１４】
また、本発明に係る表示装置の第７の態様は、上記第１の態様において、前記表示制御部は、前記移動量により示される表示位置が前記表示部の表示範囲を超える場合は、前記画像を前記表示部の端に表示する。
【００１５】
また、本発明に係る表示装置の第８の態様は、上記第１の態様において、前記表示制御部は、前記画像を縮小させる。
【００１６】
また、本発明に係る表示装置の第９の態様は、上記第９の態様において、前記表示制御部は、前記画像の最大移動量に基づいて前記画像の縮小率を決定する。
【００１７】
また、本発明に係る表示装置の第１０の態様は、上記第１の態様において、前記表示制御部は、前記画像の移動量として所定の最大移動量を設定する。
【００１８】
また、本発明に係る表示装置の第１１の態様は、上記第１の態様において、前記算出部は、前記検知された装置の移動と同じ量を前記画像の移動量として算出し、前記表示制御部は、前記画像を、前記移動量分、前記表示装置の移動前の位置から移動させることにより、前記表示装置の移動に対して、前記画像が空間的に移動しないように表示させる。
【００１９】
また、本発明に係る表示方法の第１の態様は、画像を表示部に表示する表示工程と、装置の移動を検知する検知工程と、前記検知された装置の移動に基づいて前記表示部に表示する画像の移動量を算出する算出工程と、前記算出工程で算出された移動量に基づいて画像の表示位置を移動させる移動工程と、を備える。
【発明の効果】
【００２０】
本発明は、上記構成により、表示された画像の視認性を向上させることが可能な表示装置及び表示方法を提供することができる。
【図面の簡単な説明】
【００２１】
【図１】本発明に係る表示装置の第１の実施形態である携帯電話の外観図である。
【図２】本発明に係る表示装置の第１の実施形態である携帯電話の外観図である。
【図３】本発明に係る表示装置の第１の実施形態である携帯電話の機能ブロック図である。
【図４】本発明に係る表示装置の第１の実施形態である携帯電話の動作のフローチャートである。
【図５】本発明に係る表示装置の第１の実施形態である携帯電話の動作のフローチャートである。
【図６】本発明に係る表示装置の第１の実施形態である携帯電話の動作の概略図である。
【図７】本発明に係る表示装置の第２の実施形態である携帯電話の動作のフローチャートである。
【図８】本発明に係る表示装置の第２の実施形態である携帯電話の動作の概略図である。
【図９】本発明に係る表示装置の第３の実施形態である携帯電話の動作のフローチャートである。
【図１０】本発明に係る表示装置の第３の実施形態である携帯電話の動作の概略図である。
【図１１】本発明に係る表示装置の第４の実施形態である携帯電話の動作のフローチャートである。
【図１２】本発明に係る表示装置の第４の実施形態である携帯電話の動作の概略図である。
【図１３】本発明に係る表示装置の第５の実施形態である携帯電話の機能ブロック図である。
【図１４】本発明に係る表示装置の第６の実施形態である携帯電話の動作の概略図である。
【図１５】本発明に係る表示装置の第６の実施形態である携帯電話の動作のフローチャートである。
【図１６】本発明に係る表示装置の第７の実施形態である携帯電話の動作の概略図である。
【図１７】本発明に係る表示装置の第７の実施形態である携帯電話の動作のフローチャートである。
【図１８】本発明に係る表示装置の第８の実施形態である携帯電話の動作の概略図である。
【図１９】本発明に係る表示装置の第８の実施形態である携帯電話の動作のフローチャートである。
【図２０】本発明に係る表示装置の第８の実施形態である携帯電話の動作のフローチャートである。
【図２１】本発明に係る表示装置の第９の実施形態である携帯電話の動作の概略図である。
【図２２】本発明に係る表示装置の第９の実施形態である携帯電話の動作のフローチャートである。
【発明を実施するための形態】
【００２２】
以下、本発明の表示装置及び表示方法の実施形態について図面を参照して説明する。なお、以下の本発明に係る表示装置の実施形態の説明は一例であって、本発明の趣旨を逸脱しない範囲で適宜変更が可能である。また、以下に説明する本発明に係る表示装置の各実施形態の説明は、本発明に係る表示方法の各実施形態の説明を兼ねる。
（第１の実施形態）
図１及び図２は、本発明に係る表示装置の第１の実施形態の携帯電話１００の外観図である。この携帯電話１００は、いわゆるスマートフォンである。また、図１は携帯電話１００の正面図、図２は携帯電話１００の背面図である。この携帯電話１００は、携帯電話の正面上部に形成されたタッチパネル１０７の画像表示面と同じ方向に向いて画像を撮像するインカメラ１０１と、ユーザが通話などを行う際の音声を出力するレシーバ１０３と、入力操作を行うメインキー１０５と、画像を表示すると共に指などによるタッチ操作により情報を入力することが可能なタッチパネル１０７と、携帯電話１００の背面に形成された画像を撮像するアウトカメラ１０９とを有する。
【００２３】
インカメラ１０１は、主に携帯電話１００の使用者の画像などを撮像する際に利用される。
【００２４】
タッチパネル１０７は、各アプリケーションなどから出力された静止画や動画などを表示する。このタッチパネル１０７は、表示された画像に対してユーザが指などで接触することにより入力操作が可能となる。
【００２５】
次に、図１に示される携帯電話１００の機能について図３を参照して説明する。図３は、図１に示される携帯電話１００の機能ブロック図である。
【００２６】
携帯電話１００は、携帯電話１００全体の動作を制御するＣＰＵ３０１と、携帯電話１００の加速度を検知する加速度センサ３０３とを有する。この加速度センサ３０３は、Ｘ軸、Ｙ軸、Ｚ軸の３軸の加速度を検知できるセンサである。
【００２７】
また、携帯電話１００は、画像を表示すると共に指などによるタッチ操作により情報を入力することが可能なタッチパネル１０７と、アプリケーションプログラムや各種データを記録するメモリ３０５とを有する。
【００２８】
また、携帯電話１００は、通話音声などを出力するレシーバ１０３を備える音声出力部３０７を備える。
【００２９】
また、携帯電話１００は、アンテナを介して外部ネットワークと情報の送受信を行う通信部３０９とを有する。
【００３０】
また、携帯電話１００は、静止画や動画などの画像を撮像する撮像部３１１を有する。この撮像部３１１は、インカメラ１０１と、アウトカメラ１０９とから構成される。
【００３１】
また、携帯電話１００は、メインキー１０５や不図示の音量調整ボタンなどからなる入力部３１３を有する。
【００３２】
タッチパネル１０７は、指などがタッチパネル１０７に接触した際の静電容量の変化を検知して接触位置を検知するタッチパッド３１５と、画像を表示するＬＣＤ（Ｌｉｑｕｉｄ  Ｃｒｙｓｔａｌ  Ｄｉｓｐｌａｙ）３１７と、表示光を発するバックライト３１９とから構成される。
【００３３】
図３に示される加速度センサ３０３、タッチパネル１０７、メモリ３０５、音声出力部３０７、通信部３０９、撮像部３１１、入力部３１３は、それぞれＣＰＵ３０１に接続されている。
【００３４】
次に、本発明に係る表示装置の第１の実施形態である携帯電話の動作について、図４、図５及び図６を参照して説明する。図４及び図５は、本発明に係る表示装置の第１の実施形態である携帯電話の動作のフローチャート、図６は、本発明に係る表示装置の第１の実施形態である携帯電話の動作の概略図である。
【００３５】
ＣＰＵ３０１は、携帯電話１００が揺れなどにより、空間的な位置が移動した際に、携帯電話の移動に対応して、タッチパネル１０７に表示されている画像を移動させる補正モードがＯＮになっているかどうかを判断する。なお、補正モードは、たとえば携帯電話１００のメニュー画面において、ユーザが補正モードを設定する操作が行われることによりＯＮ又はＯＦＦがなされる。
【００３６】
ＣＰＵ３０１は、補正モードがＯＮになっている場合には（Ｙｅｓ）、ステップＳ４０３に移行し、補正モードがＯＮになっていない場合には（Ｎｏ）、ステップＳ４０１に移行する。
【００３７】
次に、ＣＰＵ３０１は、加速度センサ３０３の出力から画像移動量を算出する（ステップＳ４０３）。この図４に示されるステップＳ４０３の画像移動量算出動作について、図５を参照して説明する。
【００３８】
ＣＰＵ３０１は、補正モードがＯＮとなった場合、加速度センサ３０３をＯＮとする（ステップＳ５０１）。次に、ＣＰＵ３０１は、加速度センサ３０３の出力から、タッチパネル１０７の画面上に表示されている画像の移動量である画像移動量を算出する（ステップＳ５０３）。
【００３９】
次に、ＣＰＵ３０１は、算出した画像移動量に基づいて、タッチパネル１０７の画面上に表示されている画像を移動させる（ステップＳ４０５）。この画像を移動させる方向は、画像があたかも空間で固定されているかのような方向になるような方向である。たとえば、携帯電話１００がＸ軸正方向に移動した場合は、Ｘ軸負方向に移動させる。
【００４０】
その後、ＣＰＵ３０１は、補正モードが終了したか否かを判断し、終了している場合は（Ｙｅｓ）動作を終了し、終了していない場合は（Ｎｏ）、ステップＳ４０３に移行する（ステップＳ４０７）。
【００４１】
上記図４及び図５に示されるフローチャートの動作について図６を参照して説明する。図６に示される例では、携帯電話１００が、加速度センサ３０３のＸ軸方向に距離Ｌだけ移動したものとし、携帯電話１００のタッチパネル１０７の画面が加速度センサ３０３のＺ軸方向を向いているものとする。
【００４２】
この場合、ＣＰＵ３０１は、移動中の携帯電話１００の加速度を加速度センサ３０３の出力値から検出し（ステップＳ５０３）、この検出した加速度から携帯電話１００の移動量Ｌを算出する。この移動量Ｌは、たとえば、ＣＰＵ３０１が、加速度を時間で２回積分することにより求められる。
【００４３】
次に、ＣＰＵ３０１は、検出された移動量Ｌに基づいて、タッチパネル１０７の画面上に携帯電話の移動前に表示されていた画像６０１を画面内で移動させる。この画像６０１は、図６に示される例では三角形であるが、これは一例であり、画像としては、その他の図形であったり、個数も１つ又は複数の図形であったり、Ｗｅｂページや文章画像の一部または全部のように表示画面全体又は一部であっても良い。
【００４４】
図６に示される例では、携帯電話１００が図面上で右側（Ｘ軸正方向）に移動しているので、画像６０１をタッチパネル１０７の画面上で左側（Ｘ軸負方向）に、検出された移動量Ｌだけ移動させる。なお、図６において、点線で示されている画像６０３は、移動した画像６０１の移動前のタッチパネル１０７の画面上の位置を示すために便宜上表示されているものであり、実際の携帯電話の画面上で表示されているものではない。
【００４５】
以上の説明から明らかなように、本発明に係る表示装置の第１の実施形態である携帯電話１００では、携帯電話１００が揺れなどにより移動した場合であっても、画像６０１が空間上において動かないように、画面上で携帯電話１００が移動した分だけ画像６０１の表示位置を移動させるように補正するため、表示された画像の視認性を向上させることができる。
【００４６】
たとえば、ユーザが乗り物中で本発明に係る表示装置の第１の実施形態である携帯電話１００を手に保持して使用している場合は、携帯電話１００を手に保持しているユーザは揺れる。この場合、ユーザの頭（目）と、携帯電話１００を握っている手とは完全に同期した動きとはならない。しかし、この場合であっても、本発明に係る表示装置の第１の実施形態である携帯電話１００では、手に持った携帯電話１００の画面上の画像が空間上で固定されるようなものとなって、表示された画像の視認性を向上させることができる。
【００４７】
また、本発明に係る表示装置の第１の実施形態である携帯電話１００によれば、乗り物中で使用している場合は、携帯電話１００の画面上の画像が空間に固定されるようなものとなって、移動る乗り物中でも画面上の画像中に文字などがあったとしてもその読み取りが容易となり、視認性が向上する。
【００４８】
また、本発明に係る表示装置の第１の実施形態である携帯電話１００によれば、加齢や病気などの事情により携帯電話１００を持つ手が震えるユーザにとって、携帯電話１００の画面上の画像が空間に固定されるようなものとなって、視認性が向上する。
（第２の実施形態）
次に、本発明に係る表示装置の第２の実施形態である携帯電話について図７及び図８を参照して説明する。図７は、本発明に係る表示装置の第２の実施形態である携帯電話の動作のフローチャート、図８は、本発明に係る表示装置の第２の実施形態である携帯電話の動作の概略図である。なお、以下の第２の実施形態の説明では上述の第１の実施形態と異なる点を説明する。
【００４９】
本発明に係る表示装置の第２の実施形態である携帯電話は、上述の第１の実施形態が加速度センサの出力により携帯電話の揺れなどによる移動量を算出したのに対して、カメラにより撮像された画像の移動量により、携帯電話の移動量を算出するものである。
【００５０】
ＣＰＵ３０１は、図４に示されるステップＳ４０３の画像移動量算出処理に代えて、図７に示される処理を行う。つまり、ＣＰＵ３０１は、図４に示されるステップＳ４０３の画像移動量算出処理に代えて、図７に示されるように、アウトカメラ１０９をＯＮにする（ステップＳ７０１）。なお、本発明に係る表示装置の第２の実施形態である携帯電話では、使用するカメラとしてアウトカメラ１０９を一例として挙げるが、インカメラ１０１を用いるとしても良い。また、アウトカメラをＯＮにした際に撮像される画像は動画である。もっとも、アウトカメラをＯＮにし、静止画を連続して撮像して画像の移動量を算出するようにしても良い。
【００５１】
次に、ＣＰＵ３０１は、アウトカメラ１０９が撮像した画像から基準画像の移動量を算出する（ステップＳ７０３）。次に、ＣＰＵ３０１は、アウトカメラ１０９が撮像した画像から携帯電話の移動量を算出する（ステップＳ７０５）。このステップＳ７０３、ステップＳ７０５のＣＰＵ３０１による、アウトカメラ１０９の出力からの携帯電話の移動量算出処理について図８を参照して説明する。
【００５２】
図８に示される例では、携帯電話が、点線で示される移動前の状態Ｂから、実線で示される移動後の状態Ａに、図面上で左側（Ｘ軸負方向）に距離Ｌ移動したものとし、携帯電話１００のタッチパネル面が加速度センサのＺ軸方向を向いているものとする。
【００５３】
まず、ＣＰＵ３０１は、アウトカメラ１０９により撮像された撮像画像８０１ａ中において、基準画像８０３を認識する。この基準画像８０３は、たとえば、撮像画像８０１ａの中で最も輝度が高いものを設定する。なお、基準画像８０３の設定方法としては、撮像画像８０１ａの中で最も輝度が高いものに限定されるものではなく、そのほか、撮像画像８０１ａの中における人物の画像や、所定の形を有している画像や、所定の色を有している画像や、たとえばコントラストなどの所定の画像データ値を有する画像など適宜なものを基準画像とすることができる。この際、ＣＰＵ３０１は、撮像画像８０１ａ中における、基準画像８０３の座標位置Ｘ１を認識する。
【００５４】
次に、ＣＰＵ３０１は、携帯電話１００が距離Ｌ移動した後に、アウトカメラ１０９により撮像された撮像画像８０１ｂ中において、基準画像８０３を認識する。この際、ＣＰＵ３０１は、撮像画像８０１ｂ中における、基準画像８０３の座標位置Ｘ２を認識する。
【００５５】
そして、ＣＰＵ３０１は、撮像画像中における、基準画像の移動量であるＸ２−Ｘ１から、携帯電話１００の移動量Ｌを算出する。
【００５６】
次に、ＣＰＵ３０１は、算出された移動量Ｌに基づいて、タッチパネルの画面上に携帯電話の移動前に表示されていた表示物である画像６０１を移動させる。この画像６０１は、図８に示される例では三角形であるが、これは一例であり、画像としては、その他の図形であったり、１つ又は複数の図形であったり、Ｗｅｂページや文章画像の一部または全部のように表示画面全体又は一部であっても良い。
【００５７】
図８に示される例では、携帯電話が、点線で示される移動前の状態Ｂから、実線で示される移動後の状態Ａに、図面上で左側（Ｘ軸負方向）に距離Ｌ移動している。そのため、ＣＰＵ３０１は、画像６０１を右側（Ｘ軸正方向）に、算出された移動量Ｌだけ移動させる。なお、図８において、点線で示されている画像６０３は、移動した画像６０１の移動前の位置を示すために便宜上表示されているものであり、実際の携帯電話の画面上で表示されているものではない。
【００５８】
以上の説明から明らかなように、本発明に係る表示装置の第２の実施形態によれば、上述の第１の実施形態と同様の効果を得ることができる。
（第３の実施形態）
次に、本発明に係る表示装置の第３の実施形態である携帯電話について図９及び図１０を参照して説明する。図９は、本発明に係る表示装置の第３の実施形態である携帯電話の動作のフローチャート、図１０は、本発明に係る表示装置の第３の実施形態である携帯電話の動作の概略図である。なお、以下の第３の実施形態の説明では上述の第１の実施形態と異なる点を説明する。
【００５９】
本発明に係る表示装置の第３の実施形態である携帯電話は、上述の第１の実施形態が加速度センサの出力により携帯電話の揺れなどによる移動量を算出したのに対して、インカメラにより撮像された、ユーザの目の画像の位置の移動量により、携帯電話の移動量を算出するものである。
【００６０】
図９に示されるように、ＣＰＵ３０１は、図４に示されるステップＳ４０３の画像移動量算出処理に代えて、図９に示される画像移動量算出処理を行う。つまり、ＣＰＵ３０１は、図４に示されるステップＳ４０３の画像移動量算出処理に代えて、図９に示されるように、インカメラ１０１をＯＮにする（ステップＳ９０１）。また、インカメラ１０１をＯＮにした際に撮像される画像は動画である。もっとも、インカメラ１０１をＯＮにし、静止画を連続して撮像して画像の移動量を算出するようにしても良い。
【００６１】
次に、ＣＰＵ３０１は、インカメラ１０１の撮像画像から目の位置の移動量を算出する（ステップＳ９０３）。このステップＳ９０３のＣＰＵ３０１による、インカメラ１０１の出力から目の位置の移動量を算出する処理について図１０を参照して説明する。
【００６２】
図１０に示される例では、携帯電話が、点線で示される移動前の状態Ｂから、実線で示される移動後の状態Ａに、図面上で左側（Ｘ軸負方向）に距離Ｌ移動したものとし、携帯電話１００のタッチパネル面が加速度センサのＺ軸方向を向いているものとする。
【００６３】
まず、ＣＰＵ３０１は、インカメラ１０１により撮像された撮像画像１００１ａの中において、基準となる目の画像１００３を認識する。この際、ＣＰＵ３０１は、撮像画像１００１ａ中における、目の画像１００３の座標位置Ｘ１を認識する。
【００６４】
次に、ＣＰＵ３０１は、携帯電話１００が距離Ｌ移動した後に、インカメラ１０１により撮像された撮像画像１００１ｂの中において、目の画像１００３を認識する。この際、ＣＰＵ３０１は、撮像画像１００１ｂ中における、目の画像１００３の座標位置Ｘ２を認識する。
【００６５】
そして、ＣＰＵ３０１は、撮像画像中における、目の画像の移動量であるＸ２−Ｘ１から、携帯電話１００の移動量Ｌを算出する。
【００６６】
次に、ＣＰＵ３０１は、算出された移動量Ｌに基づいて、タッチパネル１０７の画面上に携帯電話の移動前に表示されていた画像６０１を移動させる。この画像６０１は、図１０に示される例では三角形であるが、これは一例であり、画像としては、その他のの図形であったり、１つ又は複数の図形であったり、Ｗｅｂページや文章画像の一部または全部のように表示画面全体又は一部であっても良い。
【００６７】
図１０に示される例では、携帯電話１００が図面上で左側（Ｘ軸負方向）に移動しているので、画像６０１を右側（Ｘ軸正方向）に、算出された移動量Ｌだけ移動させる。なお、図１０において、点線で示されている画像６０３は、移動した画像６０１の移動前の位置を示すために便宜上表示されているものであり、実際の携帯電話の画面上で表示されているものではない。
【００６８】
以上の説明から明らかなように、本発明に係る表示装置の第３の実施形態によれば、上述の第１の実施形態と同様の効果を得ることができる。
（第４の実施形態）
次に、本発明に係る表示装置の第４の実施形態である携帯電話について図１１及び図１２を参照して説明する。図１１は、本発明に係る表示装置の第４の実施形態である携帯電話の動作のフローチャート、図１２は、本発明に係る表示装置の第４の実施形態である携帯電話の動作の概略図である。なお、以下の第４の実施形態の説明では上述の第１の実施形態と異なる点を説明する。
【００６９】
本発明に係る表示装置の第４の実施形態である携帯電話は、上述の第１の実施形態において、画像を移動させるタイミングを制御したものである。すなわち、本発明に係る表示装置の第４の実施形態である携帯電話は、携帯電話の移動について周期性を検出し、少なくとも１周期以上遅延させて、画像の移動を行うものである。
【００７０】
図１１に示されるように、本発明に係る表示装置の第４の実施形態である携帯電話は、図４に示される第１の実施形態の動作に加えて、周期算出処理ステップＳ１１０５が追加されている。
【００７１】
ＣＰＵ３０１は、まず補正モードがＯＮになっているかどうかを判断する（ステップＳ１１０１）。なお、補正モードは、たとえば携帯電話１００のメニュー画面において、ユーザが補正モードを設定する操作が行われることによりＯＮ又はＯＦＦがなされる。
【００７２】
ＣＰＵ３０１は、補正モードがＯＮになっている場合には（Ｙｅｓ）、ステップＳ１１０３に移行し、補正モードがＯＮになっていない場合には（Ｎｏ）、ステップＳ１１０１に移行する。
【００７３】
ＣＰＵ３０１は、加速度センサ３０３の出力から画像移動量を算出する（ステップＳ１１０３）。この図４に示されるステップＳ４０３の画像移動量算出処理は、前述の図５を参照して説明した処理と同様である。なお、この図１１に示されるステップＳ１１０３の画像移動量算出処理としては、図４に示されるステップＳ４０３の画像移動量算出処理以外にも、前述の図７や図９を参照して説明した画像移動量算出処理を行うとしても良い。
【００７４】
次に、ＣＰＵ３０１は、加速度センサ３０３の出力に基づいて、携帯電話１００の移動の周期Ｔを算出する（ステップＳ１１０５）。この加速度センサ３０３の出力に基づく携帯電話１００の移動の周期Ｔの算出は、たとえば、ＣＰＵ３０１が加速度のピーク値を検知することにより行われる。
【００７５】
次に、ＣＰＵ３０１は、算出した画像移動量と携帯電話１００の移動の周期Ｔとに基づいて、周期Ｔの自然数ｎ倍遅らせて、画像を移動させる（ステップＳ１１０７）。ここではｎを１とする。
【００７６】
その後、ＣＰＵ３０１は、補正モードが終了したか否かを判断し、終了している場合は（Ｙｅｓ）動作を終了し、終了していない場合は（Ｎｏ）、ステップＳ１１０３に移行する（ステップＳ１１０９）。
【００７７】
この図１１の動作について、図１２を参照して説明する。図１２では、横軸に時間ｔ、縦軸にＸ軸方向の移動量ｘを示している。図１２に示されるように、携帯電話１００は加速度センサ３０３のＸ軸方向に周期Ｔで移動ているものとする。ＣＰＵ３０１は、補正モードがＯＮになった際に携帯電話の移動を検知して、周期Ｔを算出する。なお、図１２に示される例では、携帯電話１００は加速度センサ３０３のＸ軸方向に同じ距離だけ移動している例を示しているが、携帯電話１００が周期Ｔで移動しているのであれば、携帯電話１００は加速度センサ３０３のＸ軸方向に異なった距離で移動しているとしても良い。
【００７８】
そして、携帯電話１００は、時刻ｔ１における携帯電話の移動に対応する画像表示の補正を、ｔ１から周期Ｔ遅延した時刻ｔ２に行う。つまり、携帯電話１００は、時刻ｔ１における携帯電話の移動に対応する移動量で、時刻ｔ２に画像表示６０３から画像表示６０１に移動させる。同様に、携帯電話１００は、時刻ｔ２における携帯電話の移動に対応する移動量の画像表示の補正について時刻ｔ２から周期Ｔ遅延した時刻ｔ３に行い、時刻ｔ３における携帯電話の移動に対応する移動量の画像表示の補正について時刻ｔ３から周期Ｔ遅延した時刻ｔ４に行い、以下同様にする。
【００７９】
なお、図１２において、点線で示されている画像６０３は、移動した画像６０１の移動前の位置を示すために便宜上表示されているものであり、実際の携帯電話の画面上で表示されているものではない。
【００８０】
以上の説明から明らかなように、本発明に係る表示装置の第４の実施形態によれば、上述の第１の実施形態と同様の効果を得ることができる。さらに、本発明に係る表示装置の第４の実施形態によれば、上述の第１の実施形態において、画像を移動させるタイミングを制御し、携帯電話１００の移動について周期性を算出し、少なくとも１周期以上遅延させて、画像の移動を行うことにより、画像の移動と、携帯電話１００の移動との間の遅延を少なくすることができ、さらに画像の視認性を向上させることができる。
（第５の実施形態）
次に、本発明に係る表示装置の第５の実施形態である携帯電話について図１３を参照して説明する。図１３は、本発明に係る表示装置の第５の実施形態である携帯電話１３００の機能ブロック図である。
【００８１】
上記第１の実施形態では、加速度センサ３０３が読み取った数値をＣＰＵ３０１に入力し、ＣＰＵ３０１が画像の移動量を算出したデータをタッチパネル１０７に出力したものとしたが、第５の実施形態では、図１３に示されるように、ＣＰＵ３０１とタッチパネル１０７との間に計算機１３０１を設け、計算機１３０１に上記実施形態で説明したＣＰＵ３０１の処理の一部を行わせる。
【００８２】
つまり、加速度センサ３０３は、計算機１３０１に検出した加速度のデータを出力し、計算機１３０１が、加速度センサ３０３から出力された加速度のデータに基づいて、携帯電話１３００の移動量を算出する。
【００８３】
そして、計算機１３０１は、ＣＰＵ３０１から出力された画像の表示情報に対して、加速度センサ３０３の出力から算出した携帯電話の移動量を補正してタッチパネル１０７に出力する。この補正は、第１の実施形態と同様に、携帯電話１３００の画面の表示が空間上で固定されるような補正である。
【００８４】
そのため、本実施形態では、タッチパネル１０７において、携帯電話１３００の移動に対する移動量を補正した画像を表示することにより、第１の実施形態と同様に、携帯電話１３００の画面の表示が空間上で固定されるようなものとなって、表示された画像の視認性を向上させることができる。
【００８５】
なお、上述の第２の実施形態、第３の実施形態に示されるように、携帯電話１３００の移動量Ｌをインカメラ１０１又はアウトカメラ１０９により撮像された画像から算出する場合は、図１３に示される加速度センサ３０３と同様に、インカメラ１０１又はアウトカメラ１０９の出力を計算機１３０１に出力するようにしても良い。この場合、インカメラ１０１又はアウトカメラ１０９は、計算機１３０１に撮像画像を出力する。また、計算機１３０１は、ＣＰＵ３０１から出力された画像の表示情報に対して、インカメラ１０１又はアウトカメラ１０９から出力された撮像画像から算出した携帯電話１３００の移動に対する移動量で補正してタッチパネル１０７に出力する。
【００８６】
以上の説明から明らかなように、本発明に係る表示装置の第５の実施形態の携帯電話１３００によれば、上述の第１の実施形態と同様の効果を得ることができる。また、本実施形態では、計算機１３０１が、ＣＰＵ３０１から入力された画像の表示情報に、携帯電話１３００の移動量を補正してタッチパネル１０７に出力するため、画像を移動させて表示する点についての時間遅延が少なくなる。
（第６の実施形態）
次に、本発明に係る表示装置の第６の実施形態である携帯電話の動作について、図１４及び図１５を参照して説明する。図１４は、本発明に係る表示装置の第６の実施形態である携帯電話の動作の概略図であり、図１５は、本発明に係る表示装置の第６の実施形態である携帯電話の動作のフローチャートである。なお、以下の第６の実施形態の説明では上述の第１の実施形態と異なる点を説明する。
【００８７】
本実施形態では、携帯電話１００の移動量Ｌが大きくなり、当初表示されていた画像６０１が画面の端Ｅの位置以上にまで移動する場合の実施形態である。
【００８８】
図１４に示されるように、携帯電話１００の移動量Ｌが大きくなり、当初表示されていた画像６０１が画面の端Ｅの位置以上にまで移動した結果、携帯電話１００の表示画面には、画像６０１は表示されないこととなる。なお、図１４では、携帯電話１００が移動した後の表示画像６０１が、携帯電話１００の外部に図示されているが、これは説明をわかり易くするために概念的に図示したものであり、現実にこのような表示がなされるものではない。
【００８９】
そして、ＣＰＵ３０１は、図１４に示されるように、携帯電話１００の移動量Ｌが大きくなり、当初表示されていた画像６０１が画面の端Ｅの位置以上にまで移動した結果、携帯電話１００の表示画面に、画像６０１は表示しない代わりに、画像６０１が表示されなくなったことを示すマークＳを表示する。このマークＳは、たとえば、当初表示されていた画像６０１が画面から隠れた方向を示すマークであって良い。
【００９０】
次に、本実施形態の動作について図１５を参照して説明する。図１５は、図４に示される第１の実施形態のフローチャートのステップＳ４０５に代えて実施される処理である。
【００９１】
ＣＰＵ３０１は、まず、算出された画像移動量に基づいて画像６０１を移動させる。この画像を移動させる方向は、画像があたかも空間で固定されているかのような方向になるような方向である。たとえば、携帯電話１００がＸ軸正方向に移動した場合は、Ｘ軸負方向に移動させる（Ｓ１５０１）。
【００９２】
次に、ＣＰＵ３０１は、画像６０１を移動させた結果、画像６０１がＬＣＤ３１７の表示画面Ｄの端Ｅを越えるか否かを判断する（Ｓ１５０３）。そして、ＣＰＵ３０１は、画像を移動させた結果、画像６０１がＬＣＤ３１７の表示画面Ｄの端Ｅを超える場合は（Ｙｅｓ）、ステップＳ１５０５に移行し、画像を移動させた結果、画像６０１がＬＣＤ３１７の表示画面Ｄの端Ｅに到達していない場合は（Ｎｏ）、処理を終了する。
【００９３】
次に、ＣＰＵ３０１は、ステップＳ１５０５において、画像６０１を表示画面Ｄから表示しないこととすると共に、画像６０１が表示されなくなったことを示すマークＳを表示する。
【００９４】
なお、本実施形態の画像移動量算出処理としては、図４に示されるステップＳ４０３の画像移動量算出処理以外にも、前述の図７や図９を参照して説明した画像移動量算出処理を行うとしても良い。
【００９５】
以上の説明から明らかなように、本発明の第６の実施形態によれば、前述の第１の実施形態と同様の効果が得られると共に、携帯電話１００の移動量Ｌが大きくなり、当初表示されていた画像６０１が画面の端Ｅの位置以上にまで移動した結果、携帯電話１００の表示画面に、画像６０１を表示しなくすると共に、画像６０１が表示されなくなったことを示すマークＳを表示するため、携帯電話１００の移動に対する画像６０１の移動をより概念的に正しくすると共に、画像６０１が移動により画面に表示されていないことがユーザにわかり易くなる。
（第７の実施形態）
次に、本発明に係る表示装置の第７実施形態である携帯電話の動作について、図１６及び図１７を参照して説明する。図１６は、本発明に係る表示装置の第７の実施形態である携帯電話の動作の概略図であり、図１７は、本発明に係る表示装置の第７の実施形態である携帯電話の動作のフローチャートである。なお、以下の第７の実施形態の説明では上述の第１の実施形態と異なる点を説明する。
【００９６】
本実施形態では、図１６に示されるように、携帯電話１００の移動量Ｌが大きくなり、当初表示されていた画像６０１を画面の端Ｅの位置以上にまで移動させる算出結果となった場合の実施形態である。
【００９７】
本実施形態では、図１６に示されるように携帯電話１００の移動量Ｌが大きくなり、当初表示されていた画像６０１を画面の端Ｅの位置以上にまで移動させる算出結果となった場合、画像６０１の移動を、画面の端Ｅで停止させる。
【００９８】
次に、本実施形態の動作について図１７を参照して説明する。図１７は、図４に示される第１の実施形態のフローチャートのステップＳ４０５に代えて実施される処理である。
【００９９】
ＣＰＵ３０１は、まず、算出された画像移動量に基づいて画像６０１を移動させる。この画像を移動させる方向は、画像があたかも空間で固定されているかのような方向になるような方向である。たとえば、携帯電話１００がＸ軸正方向に移動した場合は、Ｘ軸負方向に移動させる（Ｓ１７０１）。
【０１００】
次に、ＣＰＵ３０１は、画像６０１を移動させた結果、画像６０１の移動位置がＬＣＤ３１７の表示画面Ｄの端Ｅを超えたか否かを判断する（Ｓ１７０３）。そして、ＣＰＵ３０１は、画像を移動させた結果、画像６０１の移動位置がＬＣＤ３１７の表示画面Ｄの端Ｅを超えている場合は（Ｙｅｓ）、ステップＳ１７０５に移行し、画像を移動させた結果、画像６０１の移動位置がＬＣＤ３１７の表示画面Ｄの端Ｅを超えていない場合は（Ｎｏ）、処理を終了する。
【０１０１】
次に、ＣＰＵ３０１は、ステップＳ１７０５において、画像６０１を表示画面Ｄの端Ｅの位置で移動を停止させて表示させる。つまり、ＣＰＵ３０１は、画像の移動量Ｌが、携帯電話１００が移動する前の画像６０１の位置から表示画面Ｄの端Ｅまでの距離よりも大きくなった場合、画像６０１を移動量Ｌのすべて動かすのではなく、画像６０１を表示画面Ｄの端Ｅの位置で移動を停止させて表示させる。
【０１０２】
なお、本実施形態の画像移動量算出処理としては、図４に示されるステップＳ４０３の画像移動量算出処理以外にも、前述の図７や図９を参照して説明した画像移動量算出処理を行うとしても良い。
【０１０３】
以上の説明から明らかなように、本発明に係る表示装置の第７の実施形態である携帯電話１００では、前述の第１の実施形態と同様の効果を得ることができる。さらに、本発明に係る表示装置の第７の実施形態である携帯電話１００では、画像を移動させた結果、画像６０１がＬＣＤ３１７の表示画面Ｄの端Ｅに到達している場合は、画像６０１を表示画面Ｄの端Ｅの位置で移動を停止させて表示させる。これにより、本発明に係る表示装置の第７の実施形態である携帯電話１００では、携帯電話１００の移動により画像６０１が見えなくなるということがなくなりより利便性を向上させることができる。
（第８の実施形態）
次に、本発明に係る表示装置の第８実施形態である携帯電話の動作について、図１８、図１９及び図２０を参照して説明する。図１８は、本発明に係る表示装置の第８の実施形態である携帯電話の動作の概略図であり、図１９及び図２０は、本発明に係る表示装置の第８の実施形態である携帯電話の動作のフローチャートである。なお、以下の第８の実施形態の説明では上述の第１の実施形態と異なる点を説明する。
【０１０４】
この第８の実施形態の表示装置の一実施形態は、携帯電話１００の移動による画像の移動量を、携帯電話１００の移動量の大きさにかかわらず、最大Ｗとした実施形態である。このＷとしては、たとえば３ｍｍをあげることができるが、本発明ではＷとして３ｍｍに限定されるものではなく、その他の適宜な値をとることができる。
【０１０５】
本実施形態では、図１８に示されるように、補正モードがＯＮにされると、それまで表示されていた画面６０１を縮小表示する。そして、画像６０１が縮小された結果、表示画面端と画像６０１との間の距離をＷとして、画像非表示領域Ｂが形成される。
【０１０６】
本実施形態では、画像６０１の移動量は、最大移動量Ｗに制限される。そのため、携帯電話１００が、Ｘ軸の正方向にＬ（＞Ｗ）移動した場合、表示画像６０１は、Ｘ軸の負方向にＷだけ移動する。また、Ｘ軸の正方向にＬ（＝＜Ｗ）移動した場合、表示画像６０１は、Ｘ軸の負方向にＬだけ移動する。
【０１０７】
ここで、あらかじめ表示画像６０１は、補正モードがＯＮとなった場合に、画面端との距離がＷとなるように縮小表示されているため、画像６０１が移動したとしても画面が、表示部の外に隠れることはない。
【０１０８】
次に、本実施形態の動作について図１９及び図２０のフローチャートを参照して説明する。ＣＰＵ３０１は、補正モードがＯＮになっている場合には（Ｙｅｓ）、ステップＳ１９０３に移行し、補正モードがＯＮになっていない場合には（Ｎｏ）、ステップＳ１９０１に移行する。
【０１０９】
次に、ＣＰＵ３０１は、現在表示されている画像を縮小する（ステップＳ１９０３）。この縮小は、画像６０１が縮小された結果、表示画面端と画像６０１との間の距離をＷとする縮小である（Ｓ１９０３）。
【０１１０】
次に、ＣＰＵ３０１は、加速度センサ３０３の出力から画像移動量を算出する（ステップＳ１９０５）。この図１９に示されるステップＳ１９０５の画像移動量算出動作については、前述の図５を参照して説明したものと同様である。
【０１１１】
次に、ＣＰＵ３０１は、算出した画像移動量に基づいて、タッチパネル１０７の画面上に表示されている画像を移動させる（ステップＳ１９０７）。この画像を移動させる方向は、画像があたかも空間で固定されているかのような方向になるような方向である。たとえば、携帯電話１００がＸ軸正方向に移動した場合は、Ｘ軸負方向に移動させる。
【０１１２】
その後、ＣＰＵ３０１は、補正モードが終了したか否かを判断し、終了している場合は（Ｙｅｓ）動作を終了し、終了していない場合は（Ｎｏ）、ステップＳ１９０３に移行する（ステップＳ１９０９）。
【０１１３】
次に、本実施形態のステップＳ１９０７の画像移動動作について図２０を参照して説明する。図２０は、図４に示される第１の実施形態のフローチャートのステップＳ４０５に代えて実施される処理である。
【０１１４】
ＣＰＵ３０１は、まず、算出された画像移動量に基づいて画像６０１を移動させる。この画像を移動させる方向は、画像があたかも空間で固定されているかのような方向になるような方向である。たとえば、携帯電話１００がＸ軸正方向に移動した場合は、Ｘ軸負方向に移動させる（Ｓ２００１）。
【０１１５】
次に、ＣＰＵ３０１は、画像６０１を移動させた結果、その移動量が所定の設定値Ｗを越えるか否かを判断する（Ｓ２００３）。そして、ＣＰＵ３０１は、画像を移動させた結果、画像６０１の移動量がＷを超える場合は（Ｙｅｓ）、ステップＳ２００５に移行し、画像を移動させた結果、画像６０１がＬＣＤ３１７の表示画面Ｄの端Ｅに到達していない場合は（Ｎｏ）、処理を終了する。
【０１１６】
次に、ＣＰＵ３０１は、ステップＳ２００５において、画像６０１の移動量を最大移動量Ｗで停止させる。この場合、前述のように、縮小した画像６０１と画面の端との距離がＷであったため、画像６０１は表示画面の端で移動が停止する。
【０１１７】
なお、本実施形態の画像移動量算出処理としては、図４に示されるステップＳ４０３の画像移動量算出処理以外にも、前述の図７や図９を参照して説明した画像移動量算出処理を行うとしても良い。なお、本実施形態の設定値Ｗは、あらかじめ設定されるとしても良いし、ユーザにより設定されるとしても良い。
【０１１８】
以上の説明から明らかなように、本発明に係る表示装置の第８の実施形態である携帯電話１００では、前述の第１の実施形態と同様の効果を得られると共に、携帯電話１００が揺れなどにより所定の設定値Ｗを超えた移動量Ｌ移動した場合であっても、画像６０１があらかじめ画面端からＷの距離をあけて表示されるように縮小され、画像６０１の移動量が最大Ｗとされていることから、移動した画像６０１が画面外に隠れることが防止でき、さらに視認性を向上させることができる。
（第９の実施形態）
次に、本発明に係る表示装置の第９の実施形態である携帯電話の動作について、図２１及び図２２を参照して説明する。図２１は、本発明に係る表示装置の第９の実施形態である携帯電話の動作の概略図であり、図２２は、本発明に係る表示装置の第９の実施形態である携帯電話の動作のフローチャートである。なお、以下の第９の実施形態の説明では上述の第１の実施形態と異なる点を説明する。
【０１１９】
本実施形態では、携帯電話１００の移動量Ｌが大きくなり、Ｌが当初設定していた画像の最大移動距離Ｗを超える場合の実施形態である。
【０１２０】
図２１に示されるように、携帯電話１００の移動量Ｌが大きくなり、当初表示されていた画像６０１が、最大移動距離Ｗまで移動した場合、画像６０１の移動は停止する。なお、図２１では、携帯電話１００が移動した後の表示画像６０１と表示画面との間に、画像６０１が移動した結果、表示画面端と画像６０１との間の距離をＷとして、画像非表示領域Ｂが形成される。
【０１２１】
次に、本実施形態の動作について図２２を参照して説明する。図２２は、図４に示される第１の実施形態のフローチャートのステップＳ４０５に代えて実施される処理である。
【０１２２】
ＣＰＵ３０１は、まず、算出された画像移動量に基づいて画像６０１を移動させる。この画像を移動させる方向は、画像があたかも空間で固定されているかのような方向になるような方向である。たとえば、携帯電話１００がＸ軸正方向に移動した場合は、Ｘ軸負方向に移動させる（Ｓ２２０１）。
【０１２３】
次に、ＣＰＵ３０１は、画像６０１を移動させた結果、画像６０１の移動量Ｌが所定の設定値Ｗを越えるか否かを判断する（Ｓ１５０３）。そして、ＣＰＵ３０１は、画像の移動量ＬがＷを超える場合は（Ｙｅｓ）、ステップＳ２２０５に移行し、画像を移動させた結果、画像の移動量ＬがＷを超えない場合は（Ｎｏ）、処理を終了する。
【０１２４】
次に、ＣＰＵ３０１は、ステップＳ２２０５において、画像６０１を距離Ｗ移動させた後、画像６０１の移動を停止させる。
【０１２５】
なお、本実施形態の画像移動量算出処理としては、図４に示されるステップＳ４０３の画像移動量算出処理以外にも、前述の図７や図９を参照して説明した画像移動量算出処理を行うとしても良い。なお、本実施形態の設定値Ｗは、あらかじめ設定されるとしても良いし、ユーザにより設定されるとしても良い。
【０１２６】
以上の説明から明らかなように、本発明の第９の実施形態によれば、前述の第１の実施形態と同様の効果が得られると共に、携帯電話１００の移動量Ｌが大きくなり、所定の設定値Ｗを超えた場合、画像６０１の移動量をＷに制限しているため、画像６０１が画面外に隠れる割合が限定的となり、さらに視認性を向上させることができる。
【０１２７】
なお、本発明に係る表示装置は上記各実施形態に限定されるものではなく、種々の変形実施が可能である。
【０１２８】
たとえば、上記実施形態は適宜組み合わせて実施できる。また、ユーザのモード設定、組み合わされた各実施形態の動作のオンオフが切り替えられるとしても良い。
【０１２９】
たとえば、上記実施形態の説明では、携帯電話が、加速度センサのＸ軸方向に距離Ｌだけ移動し、携帯電話のタッチパネル面が加速度センサのＺ軸方向を向いているものとしたが、本発明はこのような場合に限定されるものではない。つまり、携帯電話が、任意の方向に移動し、携帯電話のタッチパネル面が任意の方向を向いているものとしてもよい。
【０１３０】
この場合、ＣＰＵ３０１は、加速度センサ３０３の出力から重力加速度の値に基づいてタッチパネル面の向きを検出する。そして、携帯電話が移動した際の加速度センサ３０３のＸ軸、Ｙ軸、Ｚ軸の各出力と、検出されたタッチパネル面の向きとに基づいて、画像の移動量を検出して、あたかも画像が空間上で固定されているように移動させる。
【０１３１】
また、本発明においては、画像を移動させる方向を、たとえば重力方向などの１つの軸のみにすることもできる。この場合、１つの軸方向への画像移動処理を行うだけでよいので、装置の処理負担が軽くなる。
【０１３２】
また、本発明において、表示装置が揺れなどにより、表示装置の空間的な位置が移動したままになった場合、移動した画像を、表示装置の移動終了後所定時間をかけて移動前の位置に戻す処理を行うとしてもよい。この所定時間は、表示装置の移動の速度に応じて変化させるとしてもよい。すなわち、表示装置がゆっくり移動した場合は、画像を戻す所定時間も長くし、表示装置が早く移動した場合は、画像を戻す所定時間も短くするとしてもよい。
【０１３３】
また、上記実施形態では、タッチパネル１０７においてＬＣＤ３１７を用いるとしてが、このＬＣＤ３１７に代えて有機ＥＬ（Ｏｒｇａｎｉｃ  Ｅｌｅｃｔｒｏ−  Ｌｕｍｉｎｅｓｃｅｎｃｅ：ＯＥＬ、有機エレクトロルミネッセンス）を用いてもよい。この場合、一般的に有機ＥＬはＬＣＤよりも応答性能に優れているため、画像の移動を迅速に行える。
【０１３４】
また、上記実施形態では、第４の実施形態以外は、携帯電話の移動に対する画像の移動についてのタイミング制御について特に指定しなかったが、携帯電話の移動に対する画像の移動についての遅延時間をユーザ設定により調整可能としても良い。この場合、携帯電話の移動に対する画像の移動について各ユーザの好みに合わせることができる。
【０１３５】
また、上記各実施形態では、画像を表示する表示部としてタッチパネル１０７を一例として挙げたが、表示部としてはタッチパネルに限定されるものではなく、タッチパネル以外のＬＣＤや有機ＥＬなどであっても良い。
【０１３６】
また、上記第６の実施形態において、携帯電話１００の移動量Ｌが大きくなり、当初表示されていた画像６０１が画面の端Ｅの位置以上にまで移動した場合、ＣＰＵ３０１は、単に、携帯電話１００の表示画面に画像６０１は表示しないこととし、マークＳを表示しないこととしても良い。
【０１３７】
また、上記実施形態では、表示装置の一例として携帯電話（スマートフォン）を例に挙げたが、本発明はこのような場合に限定されるものではななく、フューチャーフォンなどのその他の携帯電話、ＰＤＡ、パソコン、ゲーム機、音楽プレーヤ、カーナビ、腕時計、タブレット端末その他の画像表示機能を有する適宜な表示装置に適用することができる。
【符号の説明】
【０１３８】
１００  携帯電話
１０１  インカメラ
１０３  レシーバ
１０５  メインキー
１０７  タッチパネル
１０９  アウトカメラ
３０１  ＣＰＵ
３０３  加速度センサ
３０５  メモリ
３０７  音声出力部
３０９  通信部
３１１  撮像部
３１３  入力部
６０１  画像
６０３  画像
８０１ａ  撮像画面
８０１ｂ  撮像画面
８０３  基準画像
１００１ａ  撮像画面
１００１ｂ  撮像画面
１００３  目の画像
１３００  携帯電話
１３０１  計算機
Ｂ  画像非表示領域
Ｄ  表示画面
Ｅ  画面の端
Ｓ  マーク
【図１】
2015141700.tif 000003
【図２】
2015141700.tif 000004
【図３】
2015141700.tif 000005
【図４】
2015141700.tif 000006
【図５】
2015141700.tif 000007
【図６】
2015141700.tif 000008
【図７】
2015141700.tif 000009
【図８】
2015141700.tif 000010
【図９】
2015141700.tif 000011
【図１０】
2015141700.tif 000012
【図１１】
2015141700.tif 000013
【図１２】
2015141700.tif 000014
【図１３】
2015141700.tif 000015
【図１４】
2015141700.tif 000016
【図１５】
2015141700.tif 000017
【図１６】
2015141700.tif 000018
【図１７】
2015141700.tif 000019
【図１８】
2015141700.tif 000020
【図１９】
2015141700.tif 000021
【図２０】
2015141700.tif 000022
【図２１】
2015141700.tif 000023
【図２２】
2015141700.tif 000024